【手続補正書】
【提出日】平成25年10月24日(2013.10.24)
【手続補正１】
【補正対象書類名】特許請求の範囲
【補正対象項目名】全文
【補正方法】変更
【補正の内容】
【特許請求の範囲】
【請求項１】
測定用液体を入れる液溜槽と、上記測定用液体の温度を測定して温度信号を出力する温度センサと、試料袋に被測定樹脂を密閉収納して形成されている試験体の重量と上記試験体の上記測定用液体中に浸漬した時の重量と上記試料袋の重量とを測定して各重量信号を出力する秤と、上記温度センサから出力される上記温度信号と上記秤から出力される上記各重量信号と入力機器から入力される上記試料袋の密度の信号とを処理して、上記被測定樹脂の硬化収縮率の経時変化を求めて記録するデータ処理器とを備えており、
上記データ処理器が、上記試料袋の密度Ｄｂと、上記試料袋の重量Ｗｂと、試験前の大気中試験体重量Ｗａと、上記被測定樹脂の硬化開始時における試験体を上記測定用液体中に浸漬した時の重量である硬化開始時液中試験体重量Ｗｓ（０）と、上記被測定樹脂の硬化時における試験体を上記測定用液体中に浸漬した時の重量である硬化時液中試験体重量Ｗｓ（ｔ）と、上記温度センサで測定される上記測定用液体の温度から求めた、上記被測定樹脂の硬化開始時における測定用液体密度である硬化開始時測定用液体密度Ｄ（０）と上記被測定樹脂の硬化時における測定用液体密度である硬化時測定用液体密度Ｄ（ｔ）とから、下記（Ａ）式に基づき上記被測定樹脂の硬化収縮率Ｓを求める硬化収縮率測定装置。
Ｓ＝［１−｛（Ｗａ−Ｗｓ（ｔ））／Ｄ（ｔ）−Ｗｂ／Ｄｂ｝／｛（Ｗａ−Ｗｓ（０））／Ｄ（０）−Ｗｂ／Ｄｂ｝］×１００・・・（Ａ）
【請求項２】
上記データ処理器が、上記秤により測定した、上記試料袋重量Ｗｂと上記試験前の大気中試験体重量Ｗａと、上記硬化開始時液中試験体重量Ｗｓ（０）と、上記入力機器から入力された上記試料袋密度Ｄｂとの各データを保持する初期データ保持部と、
各温度での測定用液体の密度Ｄ（θ）のデータを保持する液体密度データ保持部と、上記温度センサから入力される上記測定用液体の温度信号を上記液体密度データ保持部の上記各温度での測定用液体の密度Ｄ（θ）のデータと対比して、上記硬化開始時測定用液体密度Ｄ（０）と上記硬化時測定用液体密度Ｄ（ｔ）とのデータを求めるとともに保持する密度データ処理部と、
上記秤から入力される上記硬化時液中試験体重量Ｗｓ（ｔ）の信号と、上記初期データ保持部に保持されている、上記試料袋密度Ｄｂと上記試料袋重量Ｗｂと上記大気中試験体重量Ｗａと上記硬化開始時液中試験体重量Ｗｓ（０）との各データ信号と、上記密度データ処理部に保持されている上記硬化開始時測定用液体密度Ｄ（０）と上記硬化時測定用液体密度Ｄ（ｔ）とのデータ信号とが入力され、硬化時の上記被測定樹脂の硬化収縮率Ｓを演算処理して保持する演算処理部とを備えていることを特徴とする請求項１に記載の硬化収縮率測定装置。
【請求項３】
測定用液体を入れる液溜槽と、上記測定用液体の温度を測定して温度信号を出力する温度センサと、試料袋に被測定樹脂を密閉収納して形成されている試験体を吊下げる支柱と、上記支柱から吊下げられた上記試験体を浸漬している上記測定用液体が入った液溜槽の重量と上記測定用液体が入った液溜槽の重量との差である上記試験体の浮力荷重と上記試料袋の重量とを測定して各重量信号を出力する秤と、上記温度センサから出力される上記温度信号と上記秤から出力される上記各重量信号と入力機器から入力される上記試料袋の密度の信号とを処理して、上記被測定樹脂の硬化収縮率の経時変化を求めて記録するデータ処理器とを備えており、
上記データ処理器が、上記試料袋の密度Ｄｂと上記試料袋の重量Ｗｂと、上記支柱から吊下げられた、上記被測定樹脂の硬化開始時における試験体を浸漬している上記測定用液体が入った液溜槽の重量と上記測定用液体が入った液溜槽の重量との差である硬化開始時試験体浮力荷重Ｗｇ（０）と、上記支柱から吊下げられた、上記被測定樹脂の硬化時における試験体を浸漬している上記測定用液体が入った液溜槽の重量と上記測定用液体が入った液溜槽の重量との差である硬化時試験体浮力荷重Ｗｇ（ｔ）と、上記温度センサで測定される上記測定用液体の温度から求めた、硬化開始時測定用液体密度Ｄ（０）と硬化時測定用液体密度Ｄ（ｔ）とから、下記（Ｂ）式に基づき上記被測定樹脂の硬化収縮率Ｓを求める硬化収縮率測定装置。
Ｓ＝［１−｛（Ｗｇ（ｔ）／Ｄ（ｔ）−Ｗｂ／Ｄｂ）／（Ｗｇ（０）／Ｄ（０）−Ｗｂ／Ｄｂ）｝］×１００・・・（Ｂ）
【請求項４】
上記データ処理器が、上記秤により測定した、上記試料袋重量Ｗｂと上記硬化開始時試験体浮力荷重Ｗｇ（０）と、上記入力機器から入力された上記試料袋密度Ｄｂとの各データを保持する初期データ保持部と、
各温度での測定用液体の密度Ｄ（θ）のデータを保持する液体密度データ保持部と、上記温度センサから入力される上記測定用液体の温度信号を上記液体密度データ保持部の上記各温度での測定用液体の密度Ｄ（θ）のデータと対比して、上記硬化開始時測定用液体密度Ｄ（０）と上記硬化時測定用液体密度Ｄ（ｔ）とのデータを求めるとともに保持する密度データ処理部と、
上記秤から入力される上記硬化時試験体浮力荷重Ｗｇ（ｔ）の信号と、上記初期データ保持部に保持されている、上記試料袋密度Ｄｂと上記試料袋重量Ｗｂと上記硬化開始時試験体浮力荷重Ｗｇ（０）との各データ信号と、上記密度データ処理部に保持されている、上記硬化開始時測定用液体密度Ｄ（０）と上記硬化時測定用液体密度Ｄ（ｔ）とのデータ信号とが入力され、硬化時の上記被測定樹脂の硬化収縮率Ｓを演算処理して保持する演算処理部とを備えていることを特徴とする請求項３に記載の硬化収縮率測定装置。
【請求項５】
上記液溜槽内の試験体の近傍に防水機能を備えた紫外線照射器を設置したことを特徴とする請求項１または請求項２に記載の硬化収縮率測定装置。
【請求項６】
上記液溜槽内の試験体の近傍に防水機能を備えた紫外線照射器を設置し、上記試験体の浮力荷重を、上記支柱から吊下げられた上記試験体を浸漬している上記測定用液体が入り且つ上記紫外線照射器が設けられている上記液溜槽の重量と、上記測定用液体が入り且つ上記紫外線照射器が設けられている上記液溜槽の重量との差から求めるものであることを特徴とする請求項３または請求項４に記載の硬化収縮率測定装置。
【請求項７】
上記試料袋が、樹脂またはアルミニウムであることを特徴とする請求項１ないし請求項６のいずれか１項に記載の硬化収縮率測定装置。
【請求項８】
上記測定用液体が水またはシリコンオイルであることを特徴とする請求項１ないし請求項７のいずれか１項に記載の硬化収縮率測定装置。
【請求項９】
請求項１に記載の硬化収縮率測定装置を用いて、大気中での上記試料袋重量Ｗｂを上記秤で測定する第１の手順と、上記データ処理器に上記試料袋の密度Ｄｂのデータを入力する第２の手順と、上記試料袋に上記被測定樹脂を真空脱泡しながら密閉収納し、上記被測定樹脂が密閉収納された試料袋である上記試験体の大気中の重量Ｗａを測定する第３の手順と、上記試験体を極細糸で上記秤から吊下げて上記測定用液体中に浸漬し、この状態で上記秤により上記硬化開始時液中試験体重量Ｗｓ（０）を測定するとともに、上記温度センサで上記被測定樹脂の硬化開始時における測定用液体温度を測定する第４の手順と、上記秤で上記硬化時液中試験体重量Ｗｓ（ｔ）を測定するとともに、上記温度センサで上記被測定樹脂の硬化時における測定用液体温度を測定する第５の手順と、上記データ処理器で、上記第２の手順で上記データ処理器に入力される入力データと上記第１の手順および上記第３から第５の手順で測定される各測定データとを用いて、上記被測定樹脂の硬化が完了するまで、上記被測定樹脂の硬化収縮率Ｓの経時変化を演算するとともに記録する第６の手順とを備えており、上記第１から第６の手順を順番に行うことを特徴とする硬化収縮率測定方法。
【請求項１０】
請求項３に記載の硬化収縮率測定装置を用いて、大気中での上記試料袋の重量Ｗｂを上記秤で測定する第１の手順と、上記データ処理器に上記試料袋の密度Ｄｂのデータを入力する第２の手順と、上記測定用液体が溜められた上記液溜槽を上記秤に載せるとともに、その重量をオフセットして、上記秤の重量信号を０値とする第３の手順と、上記試料袋に上記被測定樹脂を真空脱泡しながら密閉収納し、上記被測定樹脂が密閉収納された試料袋である上記試験体を極細糸で上記支柱から吊下げて上記測定用液体中に浸漬し、この状態で上記秤により上記硬化開始時試験体浮力荷重Ｗｇ（０）を測定するとともに、上記温度センサで上記被測定樹脂の硬化開始時における測定用液体温度を測定する第４の手順と、上記秤で上記硬化時試験体浮力荷重Ｗｇ（ｔ）を測定するとともに、上記温度センサで上記被測定樹脂の硬化時における測定用液体温度を測定する第５の手順と、上記データ処理器で、上記第２の手順で上記データ処理器に入力される入力データと上記第１の手順および上記第３から第５の手順で測定される各測定データとを用いて、上記被測定樹脂の硬化が完了するまで、上記被測定樹脂の硬化収縮率Ｓの経時変化を演算するとともに記録する第６の手順とを備えており、上記第１から第６の手順を順番に行うことを特徴とする硬化収縮率測定方法。